(57)【要約】【課題】雑菌の発生や増殖を防止し、これにより衛生上好ましく重大事故につながる可能性を可及的に低下させる二層構造のコースターのコップ載置板を提供する。【解決手段】鉛直上方へ向け開口する凹部２１ａが形成された台２１と、凹部２１ａ内に載置されるコップ載置板１とからなる二層構造のコースター１１のコップ載置板１はシリコン樹脂によって形成され、該コップ載置板１は、鉛直上方に向け露出する露出面１ａと、凹部２１ａの底面２１ｂに対向する対向面１ｂとを具えるとともに、該露出面１ａから対向面１ｂまで貫通する孔３をさらに具え、かつ、対向面１ｂには、凹部２１ａの底面２１ｂに向け突出する突起４からなるブラシが形成され、該ブラシはコップ載置板１と一体形成されている。【選択図】図１
0003109967.tif 000002
【実用新案登録請求の範囲】
【請求項１】
鉛直上方へ向け開口する凹部が形成された台と、前記凹部内に載置されるコップ載置板とからなる二層構造のコースターの前記コップ載置板において、
前記コップ載置板は、
シリコン樹脂によって形成され、
前記コップ載置板は、
鉛直上方に向け露出する露出面と前記凹部の底面に対向する対向面とを具えるとともに、該露出面から前記対向面まで貫通する孔をさらに具え、かつ、前記対向面には、前記凹部の前記底面に向け突出する突起からなるブラシが形成され、
該ブラシは前記コップ載置板と一体形成されていることを特徴とするコースターのコップ載置板。
【考案の詳細な説明】
【技術分野】
【０００１】
本考案は、タンブラーやコップなどの下に敷く二層構造のコースターに関するものであり、特に二層構造のコースターに用いられるコップ載置板に関する。
【背景技術】
【０００２】
従来から、タンブラーやコップ等（以下、単に「コップ」という。）の下に敷くものとして、いわゆるコースター（コップ敷き）がある。  
このコースターは、通常、結露等の吸水、コップの安定性確保、デザインのために使用される。  
また、従来のコースターには、単体構造のコースター、二層構造（二重構造）のコースターがある。
【０００３】
図１０は、従来の二層構造のコースターを示す概念図である。特に図１０（ａ）は上記コースターの概念平面図であり、図１０（ｂ）は上記コースターの概念断面図である。
【０００４】
図１０（ｂ）で示すように、二層構造のコースター４１は、通常、凹部２１ａが形成された台２１と、該台２１の凹部２１ａ内に載置されるコップ載置板３１を具えている。
【０００５】
このうち、台２１は、図示せぬテーブル等に水平に載置される。また、図１０（ｂ）で示すように、載置される台２１の凹部２１ａは、鉛直上方へ向け開口している。
【０００６】
また、図１０（ａ）及び図１０（ｂ）で示すように、コップ載置板３１は、凹部２１ａ内に載置される平板の板状体又はシート材からなり、またコップ載置板３１は、合板、コルク、和紙、竹、レース等吸水性のある材質によって形成されている。  
なお、凹部２１ａから露出するコップ載置板３１の露出面３１ａ、または凹部２１ａの底面２１ｂと対向するコップ載置板３１の対向面３１ｂには、突起や孔等の加工は、従来、施されてはいない。
【０００７】
このような従来の二層構造のコースター４１では、凹部２１ａ内のコップ載置板３１にコップ（図示しない）を載置して使用するが、その使用の際、コップ載置板３１は水平に配置される。そのため、コップは安定した姿勢に維持される。  
また上記したように、コップ載置板３１は吸水性のある材質から形成されているため、コップ表面に生じた結露等の水分（以下、単に「結露」という。）は、コップ載置板３１に吸収される。  
【考案の開示】
【考案が解決しようとする課題】
【０００８】
ところで、上述した従来の二層構造のコースター４１のコップ載置板３１は、合板、コルク、和紙、竹、レース等、コップの結露を吸収する材質によって形成されているから、吸水した結露がコップ載置板３１自体の内部で拡散して滞留し、この結露によって微生物や雑菌（以下、単に「雑菌」という。）が発生しやすく、また発生した雑菌が残留しやすい。    
また、載置されるコップには、直接手が触れられたり、口を付けられたりするからコップには雑菌が付着しやすく、この雑菌が、コップの結露と混ざって、コップ載置板３１自体に吸収されて残留することもあった。
【０００９】
また、上述したようにコップの結露やコップに付着した雑菌がコップ載置板３１自体に吸収されると、コップ載置板３１自体に既に発生又は残留した雑菌を、さらに増殖させることにもなっていた。
【００１０】
なお、コップ載置板３１自体に発生し、または残留する雑菌としては、例えば、黒カビや赤カビ等の胞芽菌（胞芽を形成する菌）、大腸菌、空中落下菌、大腸菌がある。
【００１１】
このように従来のコースター４１のコップ載置板３１は、それ自身が雑菌の温床になっていたため、衛生上、好ましくなく重大事故につながる可能性があるという問題があった。
【００１２】
特に、コースター４１は、使い捨て用のコースターを除き、繰り返し使用する場合が殆どであるから、上記問題は深刻であった。
【００１３】
上述した事情に鑑み、本考案は、雑菌の発生や増殖を防止し、これにより衛生上好ましく重大事故につながる可能性を可及的に低下させる二層構造のコースターのコップ載置板を提供することを目的とする。
【課題を解決するための手段】
【００１４】
上述した課題を解決するため、本考案のコースターのコップ載置板は、鉛直上方へ向け開口する凹部が形成された台と、前記凹部内に載置されるコップ載置板とからなる二層構造のコースターの前記コップ載置板において、前記コップ載置板は、シリコン樹脂によって形成され、前記コップ載置板は、鉛直上方に向け露出する露出面と前記凹部の底面に対向する対向面とを具えるとともに、該露出面から前記対向面まで貫通する孔をさらに具え、かつ、前記対向面には、前記凹部の前記底面に向け突出する突起からなるブラシが形成され、該ブラシは前記コップ載置板と一体形成されていることを特徴とする。
【考案の効果】
【００１５】
本考案の二層構造のコースターのコップ載置板は、鉛直上方へ向け開口する凹部が形成された台と、前記凹部内に載置されるコップ載置板とからなる二層構造のコースターの前記コップ載置板において、前記コップ載置板は、シリコン樹脂によって形成され、前記コップ載置板は、鉛直上方に向け露出する露出面と前記凹部の底面に対向する対向面とを具えるとともに、該露出面から前記対向面まで貫通する孔をさらに具え、かつ、前記対向面には、前記凹部の前記底面に向け突出する突起からなるブラシが形成され、該ブラシは前記コップ載置板と一体形成されていることとしたから、コップ表面に生じた結露がコップ載置板自体の内部で拡散して滞留する虞は可及的に防止されて該結露はコップ載置板の孔内に案内されることとなり、そのため上記結露によってコップ載置板自体の内部で雑菌が発生したり、また発生した雑菌が残留したりする虞は可及的に防止されるとともに、コップに付着した雑菌が結露と混ざっても、混ざった雑菌や結露がコップ載置板自体の内部に吸収され残留する虞は可及的に防止され、さらに、結露や雑菌がコップ載置板自体に吸収されることによってコップ載置板自体の内部に既に発生し又は残留する雑菌がさらに増殖する虞も可及的に防止される。  
したがって、この二層構造のコースターのコップ載置板によると、コップ載置板自体が雑菌の発生や増殖が生じること（雑菌の温床になること）を防止でき、衛生上好ましく重大事故につながる可能性を可及的に低下させることができる。
【００１６】
また、本考案の二層構造のコースターのコップ載置板では、上記したように、その対向面に、凹部の底面に向け突出する突起からなるブラシが形成され、該ブラシが前記コップ載置板と一体形成されているから、コップ載置板を鉛直下向きに台の凹部の底面へ向け押しつけるとともに該コップ載置板を凹部内において水平方向に動作させることにより、該ブラシによって結露や雑菌を凹部の底面から剥離させる、あるいは剥離させやすくすることができるので、凹部の底面と対向面との間に案内され発生又は残留した結露や雑菌を、より確実に、結露や雑菌を凹部から剥離して取り除くことができる。そのため、台の凹部に結露や雑菌が発生し又は残留する虞も可及的に防止される。  
【考案を実施するための最良の形態】
【００１７】
本考案の二層構造のコースターのコップ載置板について、以下の実施例で詳述する。
【００１８】
図１は、本考案の実施例の二層構造のコースターのコップ載置板を適用したコースターの概念図である。特に、図１（ａ）は上記コースターの概念平面図であり、また図１（ｂ）は上記コースターの概念断面図である。なお、図１乃至後述する図９では、図１０と同一部分を同一符号で示している。  
この図１（ａ）及び図１（ｂ）で示すように、二層構造のコースター１１は、凹部２１ａが形成された台２１と、本考案の実施例のコップ載置板１とを具えている。
【００１９】
このうち、台２１は、テーブル等（図示しない）に水平に載置される。この台２１は、ガラスによって形成されている。  
図２は、図１のコースターに用いている台の概念図である。特に、図２（ａ）は上記台の概念平面図であり、また図２（ｂ）は上記台の概念断面図である。  
この図２（ａ）および図２（ｂ）で示すように、この台２１の凹部２１ａは鉛直上方へ向け開口している。
【００２０】
一方、コップ載置板１は、図１（ａ）及び図１（ｂ）で示すように、台２１の凹部２１ａ内に載置されている平板状の板状体２から構成されている。  
図３は、図１のコースターに用いられた本考案の実施例のコースターのコップ載置板の概念図である。特に、図３（ａ）は上記コップ載置板の概念平面図であり、また図３（ｂ）は上記コップ載置板の要部概念断面図である。  
この図３（ａ）で示すコップ載置板１はシリコン樹脂によって形成されている。また、図３（ｂ）で示すように、このコップ載置板１は露出面１ａと対向面１ｂとを具えている。  
またこのコップ載置板１には、露出面１ａから対向面１ｂまで貫通する複数の孔３が形成されている。なお、この複数の孔３は隣り合う孔３と互いに間隔を隔てて配置されており、またこれらの孔３によって複数の孔３の列が形成されている。  
また、コップ載置板１の対向面１ｂには、凹部２１ａの底面２１ｂに向け突出する突起４からなるブラシが形成されている。またこのブラシはコップ載置板１に一体形成されている。なお、ブラシの複数の突起４は、隣り合う突起４と互いに間隔を隔てて配置されており、またこれらの突起４によって複数の突起４の列が形成されている。
【００２１】
このような構造のコップ載置板１をコップのコースター１に用いる場合には、図１（ａ）および図１（ｂ）で示すように、該コップ載置板１を、台２１の凹部２１ａ内に載置する。  
すると、コップ載置板１の露出面１ａは鉛直上方に向け露出するとともに、コップ載置板１の対向面１ｂは凹部２１ａの底面２１ｂに対向して配置される。また、図１（ｂ）で示すように、コップ載置板１の突起４からなるブラシは、その先端が、凹部２１ａの底面２１ｂに向けて配置されるとともに凹部２１ａの底面２１ｂに当接する。  
またコップ載置板１の露出面１ａは水平に配置されるので、コップ載置板１に載置されたコップは安定した姿勢に維持される。  
図４は、図１のコースターにコップを載置した様子を示す概念断面図であって、特に、コップに結露や雑菌が付着している様子を示す概念図である。
【００２２】
図４で示すように、コップが載置されたコースター１１では、図１（ｂ）で示した場合と同様に、コップ載置板１が台２１の凹部２１ａ内に配置されており、コップ載置板１の露出面１ａは鉛直上方に向け露出するとともに対向面１ｂは凹部２１ａの底面２１ｂに対向して配置されている。またコップ載置板１の突起４からなるブラシ先端は、凹部２１ａの底面２１ｂに向けて配置されるとともに凹部２１ａの底面２１ｂに当接する。そして、この構成により、コップ載置板１の露出面１ａは水平に配置されており、そのため、コップ７１は安定した姿勢に維持される。  
また、図４で示すように、載置されたコップ７１には、結露５１や雑菌５２が付着している。  
この結露５１や雑菌５２は、その重力等によって、コースター載置板の露出面１ａに向け鉛直下方向に落下することがある。  
しかし、コップ載置板１はシリコン樹脂によって形成されており、シリコン樹脂は、結露５１をはじき、材質そのものには吸水しない材質を有するため、図５で示すように、コップ７１表面に生じた結露５１は、コップ載置板１の孔３内に案内される。  
そして、孔３内に案内された結露５１は、図６で示すように、凹部２１ａの底面２１ｂとコースター載置板１の対向面１ｂとの間に案内される。  
そのため、結露５１がコップ載置板１自体の内部で拡散して滞留する虞は可及的に防止される。  
したがって、上記結露５１によってコップ載置板１自体の内部で雑菌５２が発生したり、また発生した雑菌５２が残留したりする虞は可及的に防止される。
【００２３】
なお、上記図５は、図１のコースターにコップを載置した様子を示す概念断面図であって、特に、コップに付着した結露や雑菌が、コップ載置板の孔内に案内されている様子を示す概念図である。  
また、上記図６は、図１のコースターにコップを載置した様子を示す概念断面図であって、特に、コップに付着した結露や雑菌が、コップ載置板の孔内に案内された後、凹部の底面とコースター載置板の対向面との間に案内された様子を示す概念図である。
【００２４】
また、コップ７１には雑菌５２が付着しているが、上述したように、結露５１がコップ載置板１自体に吸収される虞は可及的に防止されるから、図６で示すように、該雑菌５２が結露５１と混ざっても、混ざった雑菌５２や結露５１がコップ載置板１自体の内部に吸収され残留する虞は可及的に防止される。  
すなわち、雑菌５２は結露５１と混ざった場合、図５で示すようにコップ載置板１の孔３内に案内され、その後凹部２１ａの底面２１ｂとコースター載置板１の対向面１ｂとの間に案内されるので、該殺菌５２が結露５１とともにコップ載置板１自体の内部で拡散して滞留（残留）する虞は可及的に防止される。
【００２５】
また、上述したようにコップ７１の結露５１や雑菌５２がコップ載置板１自体に吸収されることは可及的に防止され、これによりコップ載置板１自体の内部に雑菌５２が発生し又は残留する虞が可及的に防止されるので、コップ載置板１自体の内部に既に発生し又は残留する雑菌５２がさらに増殖する虞も可及的に防止される。
【００２６】
このように、このコースター１１のコップ載置板１によると、雑菌５２の温床になることを防止でき、衛生上好ましく重大事故につながる可能性を可及的に低下させることができる。  
なお、コースター１１は、使い捨て用のコースター１を除き、繰り返し使用する場合が殆どであるから、上記した衛生上の効果は有効であるといえる。
【００２７】
なお、本考案の実施例のコップ載置板１自体に発生し、または残留することが防止される雑菌５２としては、例えば、黒カビや赤カビ等の胞芽菌（胞芽を形成する菌）、大腸菌、空中落下菌、大腸菌がある。
【００２８】
また、図６のコップ載置板１を、台２１の凹部２１ａから完全に分離（離脱）した後、凹部２１ａ内に水や洗剤を流し込むようにすると、凹部２１ａの底面２１ｂとコップ載置板１の対向面１ｂとの間に案内され発生又は残留した結露５１や雑菌５２を凹部２１ａの底面２１ｂから剥離させて該凹部２１ａから取り除くことができる。
【００２９】
また、凹部２１ａの底面２１ｂと対向面１ｂとの間に案内され発生又は残留した結露５１や雑菌５２は、後述するようにブラシを用いて結露５１や雑菌５２を凹部２１ａから剥離させて取り除くこともできる。
【００３０】
次に、そのようにブラシを用いて結露５１や雑菌５２を凹部２１ａから剥離する手順について、図７乃至図９で説明する。  
図７は、図１のコースターを示す概念断面図であって、特に、コップに付着した結露や雑菌が、コップ載置板の孔内に案内された後、凹部の底面とコースター載置板の対向面との間に案内された様子を示す概念図である。なお、図７は、図６に比し、結露や雑菌が、凹部の底面とコースター載置板の対向面との間に広がっている様子を示している。  
図７で示すように、凹部２１ａの底面２１ｂとコースター載置板１の対向面１ｂとの間には、結露５１や雑菌５２が、凹部２１ａの底面２１ｂとコースター載置板１の対向面１ｂとの間に存在している。
【００３１】
ここで、図８で示すように、コップ載置板１を鉛直下向き（矢印Ａ方向）に台２１の凹部２１ａの底面２１ｂへ向け押しつけるとともに、該コップ載置板１を凹部２１ａ内において水平方向に動作させる。  
すると、図８で示すように、突起４からなるブラシが凹部２１ａの底面２１ｂに摺接し、これにより結露５１や雑菌５２が凹部２１ａの底面２１ｂから剥離される、あるいは剥離されやすくなる。
【００３２】
したがって、図９で示すように、その後、コップ載置板１を台２１の凹部２１ａから完全に分離し、凹部２１ａ内に水や洗剤（図示しない）を投入すると、上記ブラシを使用しなかった場合に比し、凹部２１ａの底面２１ｂと対向面１ｂとの間に案内され発生又は残留した結露５１や雑菌５２をより確実に、結露５１や雑菌５２を凹部２１ａの底面２１ｂから剥離して取り除くことができる。そのため、台２１の凹部２１ａには、結露５１や雑菌５２が発生し、または残留する虞が可及的に防止されることとなる。
【００３３】
なお、上記図８は、図１のコースターの概念断面図であって、特に、凹部の底面とコースター載置板の対向面との間に案内された結露や雑菌（図７）を、コースター載置板のブラシによって凹部の底面から剥離する又は剥離しやすくする様子を示す概念図である。  
また、上記図９は、図１のコースターの概念断面図であって、特に、凹部の底面とコースター載置板の対向面との間に案内された結露や雑菌（図７）を、コースター載置板のブラシによって凹部の底面から剥離又は剥離しやすくした後、コップ載置板を凹部から完全に分離して、剥離した又は剥離しやすくされた結露や雑菌を、水や洗剤によって、凹部から剥離し取り除く様子を示す概念図である。
【００３４】
以上で説明したように、この考案の実施例のコースター１１のコップ載置板１は、鉛直上方へ向け開口する凹部２１ａが形成された台２１と、前記凹部２１ａ内に載置されるコップ載置板１とからなる二層構造のコースター１１のコップ載置板１において、コップ載置板１は、シリコン樹脂によって形成されており、コップ載置板１は、鉛直上方に向け露出する露出面１ａと凹部２１ａの底面２１ｂに対向する対向面１ｂとを具えるとともに、露出面１ａから対向面１ｂまで貫通する孔３をさらに具え、かつ、対向面１ｂには凹部２１ａの底面２１ｂに向け突出する突起４からなるブラシが形成され、該ブラシはコップ載置板１と一体形成されているから、コップ７１表面に生じた結露５１がコップ載置板１自体の内部で拡散して滞留する虞は可及的に防止され、該結露５１はコップ載置板１の孔３内に案内されることとなり、そのため上記結露５１によってコップ載置板１自体の内部で雑菌５２が発生したり、また発生した雑菌５２が残留したりする虞は可及的に防止されるとともに、コップ７１に付着した雑菌５２が結露５１と混ざっても、混ざった雑菌５２や結露５１がコップ載置板１自体の内部に吸収され残留する虞は可及的に防止され、さらに、結露５１や雑菌５２がコップ載置板１自体に吸収されることによってコップ載置板１自体の内部に既に発生し又は残留する雑菌５２がさらに増殖するという虞も、可及的に防止される。
【００３５】
したがって、このコースター１１のコップ載置板１によると、コップ載置板１自体が雑菌５２の発生や増殖が生じること（雑菌５２の温床になること）を防止でき、衛生上好ましく重大事故につながる可能性を可及的に低下させることができる。  
また、本考案の実施例のコースター載置板１では、その対向面１ｂには、凹部２１ａの底面２１ｂに向け突出する突起４からなるブラシが形成され、該ブラシは前記コップ載置板１と一体形成されているから、コップ載置板１を鉛直下向きに台２１の凹部２１ａの底面２１ｂへ向け押しつけるとともに該コップ載置板１を凹部２１ａ内において水平方向に動作させることにより、突起４からなるブラシによって結露５１や雑菌５２を凹部２１ａの底面２１ｂから剥離させる、あるいは剥離させやすくできるので、ブラシを使用しなかった場合に比し、凹部２１ａの底面２１ｂと対向面１ｂとの間に案内され発生又は残留した結露５１や雑菌５２をより確実に、凹部２１ａから剥離して取り除くことができる。そのため、台２１の凹部２１ａに結露５１や雑菌５２が発生し、または残留する虞が可及的に防止されることとなる。
【００３６】
なお、本考案の実施例のコースター１１のコップ載置板１は、円板状のものとして説明したが、コップ載置板１の形状はこれに限定されず、例えば、コップ載置板１は、平面が四方形にされたものであってもよいことは勿論である。  
また、本考案の実施例のコースター１１のコップ載置板１が適用されるコースター１１は、その台２１の凹部２１ａが、円板状のコップ載置板１に対応して、平面が円形となることとして説明したが、台２１の凹部２１ａの形状もこれに限定されず、コップ７１の載置板に対応した形状、例えば、凹部２１ａは、その平面が四方形にされたものでもよいことは勿論である。  
但し、本実施例のように、コップ載置板１の平面が円形であり、しかもこれに対応して、台２１の凹部２１ａの平面も円形であるとすると、凹部２１ａから結露５１や雑菌５２を上記ブラシによって剥離させるべく、コップ載置板１を凹部２１ａ内で水平方向に動作させる場合に、コップ載置板１の外縁が凹部２１ａに衝突して損傷する虞を可及的に防止できる。
【００３７】
なお、本実施例のコースター１１のコップ載置板１が適用されるコースター１は、その台２１が、ガラスによって形成されるものとして説明したが、台２１の凹部２１ａの材質もこれに限定されず、例えば陶器から形成されていてもよいことは勿論である。
【図面の簡単な説明】
【００３８】
【図１】図1は、本考案の実施例の二層構造のコースターのコップ載置板を適用したコースターの概念図である。特に、図１（ａ）は、上記コースターの概念平面図であり、また図１（ｂ）は、上記コースターの概念断面図である。
【図２】図２は、図１のコースターに用いている台の概念図である。特に、図２（ａ）は上記台の概念平面図であり、また図２（ｂ）は上記台の要部概念断面図である。
【図３】図３は、図１のコースターに用いられた本考案の実施例のコースターのコップ載置板の概念図である。特に、図３（ａ）は、上記コップ載置板の概念平面図であり、また図３（ｂ）は、上記コップ載置板の要部概念断面図である。
【図４】図４は、図１のコースターにコップを載置した様子を示す概念断面図であって、特に、コップに結露や雑菌が付着している様子を示す概念図である。
【図５】図５は、図１のコースターにコップを載置した様子を示す概念断面図であって、特に、コップに付着した結露や雑菌が、コップ載置板の孔内に案内されている様子を示す概念図である。
【図６】図６は、図１のコースターにコップを載置した様子を示す概念断面図であって、特に、コップに付着した結露や雑菌が、コップ載置板の孔内に案内された後、凹部の底面とコースター載置板の対向面との間に案内された様子を示す概念図である。
【図７】図７は、図１のコースターを示す概念断面図であって、特に、コップに付着した結露や雑菌が、コップ載置板の孔内に案内された後、凹部の底面とコースター載置板の対向面との間に案内された様子を示す概念図である。また図７では、図６に比し、結露や雑菌が、凹部の底面とコースター載置板の対向面との間に広がっている様子を示している。
【図８】図８は、図１のコースターの概念断面図であって、特に、凹部の底面とコースター載置板の対向面との間に案内された結露や雑菌（図７）を、コースター載置板のブラシによって凹部の底面から剥離する又は剥離しやすくする様子を示す概念図である。
【図９】図９は、図１のコースターの概念断面図であって、特に、凹部の底面とコースター載置板の対向面との間に案内された結露や雑菌（図７）を、コースター載置板のブラシによって凹部の底面から剥離又は剥離しやすくした後、コップ載置板を凹部から完全に離脱して、剥離した又は剥離しやすくされた結露や雑菌を、水や洗剤によって凹部から剥離し取り除く様子を示す概念図である。
【図１０】図１０は、従来の二層構造のコースターを示す概念図である。特に図１０（ａ）は、上記コースターの概念平面図であり、図１０（ｂ）は、上記コースターの概念断面図である。
【符号の説明】
【００３９】
１…コップ載置板
１ａ…露出面
１ｂ…対向面
３…孔
４…突起
１１…二層構造のコースター
２１…台
２１ａ…凹部
２１ｂ…凹部の底面
【図１】
0003109967.tif 000003
【図２】
0003109967.tif 000004
【図３】
0003109967.tif 000005
【図４】
0003109967.tif 000006
【図５】
0003109967.tif 000007
【図６】
0003109967.tif 000008
【図７】
0003109967.tif 000009
【図８】
0003109967.tif 000010
【図９】
0003109967.tif 000011
【図１０】
0003109967.tif 000012